(57)【要約】【課題】圧縮袋などに逆止弁をヒートシールで取り付ける場合でも、熱の影響を受けて気体通路が塞がれない逆止弁を提供すること。【解決手段】対向する外装シート１に挟まれるようにして、少なくとも１枚の弁体シート２が設けられ、外装シート１と弁体シート２との間に気体通路Ｐが形成されたものであって、この弁体シート２が外装シート１に密着することにより閉鎖される気体通路Ｐに、間隔保持シート４が設けられた逆止弁を提供する。圧縮袋などにこの逆止弁をヒートシールで取り付ける場合、間隔保持シート４の、気流の通過方向に沿う側の側辺における端面よりも気体通路Ｐの外側方向においては、他方側外装シート１ｂと弁体シート２とが密着しても、各シート１ｂ，２の間に、気流の通過方向に沿う方向に延びる空間が常時確保されるため、間隔保持シート４と弁体シート２とは容易に分離でき、速やかに気体通路Ｐが開放される。【選択図】          図１
2006207743.tif 000002
【特許請求の範囲】
【請求項１】
柔軟性を有する樹脂製シートからなる外装シート（１）と弁体シート（２）とを有し、
対向する外装シート（１ａ，１ｂ）に少なくとも２本のサイドシール（３）が形成されたことにより、サイドシール（３）間に、基端側から先端側へと気体を通過させることが可能な気体通路（Ｐ）が設けられた逆止弁（Ｖ）であり、
対向する外装シート（１ａ，１ｂ）に挟まれるようにして、少なくとも１枚の弁体シート（２）が設けられ、
この弁体シート（２）は、固定部（２ａ）と、固定部（２ａ）の先端側に配位された可動部（２ｂ）とを有し、
上記の固定部（２ａ）は、弁体シート（２）の一方側の面である取付面（２１）の一部である接着部（２１ａ）が、一方側外装シート（１ａ）に対して接着された部分であり、
上記の可動部（２ｂ）は、弁体シート（２）の他方側の面である通路側面（２２）の一部が、この通路側面（２２）と対向する他方側外装シート（１ｂ）あるいは他方側外装シート（１ｂ）に接着された弁体シート（２’）に対して接近及び離反が可能とされた部分であり、
上記の通路側面（２２）と、通路側面（２２）に対向する他方側外装シート（１ｂ）あるいは他方側外装シート（１ｂ）に接着された弁体シート（２’）との間が気体通路（Ｐ）とされたものであり、
通路側面（２２）の先端側の一部である密着面（２２ａ）が、通路側面（２２）と対向する上記の各シート（１ｂ，２’）に密着することにより気体通路（Ｐ）が閉鎖されるものであって、
上記の気体通路（Ｐ）には間隔保持シート（４）が設けられたものであり、
この間隔保持シート（４）は、弁体シート（２）の通路側面（２２）と、この通路側面（２２）と対向する他方側外装シート（１ｂ）あるいは他方側外装シート（１ｂ）に接着された弁体シート（２’）との間であって、
上記の密着面（２２ａ）よりも基端寄りに配位されたことを特徴とする逆止弁。
【請求項２】
内部を密閉可能とされた、柔軟性を有する樹脂製シート（６ａ，６ｂ）からなる袋（６）に対し、ヒートシールにより取り付けられるものであり、
上記の間隔保持シート（４）は、少なくとも、上記の袋（６）と逆止弁（Ｖ）とを取り付けるためのヒートシール（６１）の熱を受ける部分（Ｓ）に設けられたものであり、
上記の間隔保持シート（４）は、上記のヒートシール（６１）の熱によって溶融しないものであることを特徴とする、請求項１に記載の逆止弁。
【請求項３】
上記の間隔保持シート（４）の厚さが３０μｍ〜３００μｍであることを特徴とする、請求項１または２に記載の逆止弁。
【請求項４】
気体通路（Ｐ）を通る気体の全てが通過するように、通気性シート（７）が気体通路（Ｐ）に設けられたものであって、
この通気性シート（７）は、気体の通過を許容し、固体の通過を遮断することができるものであることを特徴とする、請求項１〜３のいずれかに記載の逆止弁。
【発明の詳細な説明】
【技術分野】
【０００１】
本願発明は、密閉可能な袋に取り付けることで、気体の逆流を防止できる逆止弁に関するものである。
【背景技術】
【０００２】
【特許文献１】特開平９−１１２７２１号公報
【０００３】
従来より、衣服や布団等を収納し、内部の空気を排出することにより、容積を小さくして収納することができる圧縮袋が存在している。この圧縮袋には、袋外部との気体の流通を遮断できる樹脂製シートから形成された逆止弁が取り付けられることが多い。
【０００４】
また、特許文献１に記載のような、コーヒー豆など保存中に気体を発生しやすい粉末状や顆粒状の物品の収納袋に対し、袋内で発生した余剰気体のみを外部に放出しつつ、外気が袋内に侵入するのを確実に防止できる逆止弁が用いられることもある。
【０００５】
上記の逆止弁は、柔軟性を有する樹脂製シートからなる外装シートを貼り合わせた扁平な筒状体の内部に、同じく柔軟性を有する樹脂製シートからなる弁体シートが配位され、この弁体シートが、上記の筒状体の内部の空間に存在する気体通路を塞ぐことによって、気体の逆流を防止できるものである。
特に、特許文献１に記載の発明においては、この気体通路に不織布などからなる濾過用フィルムが配位されたものであって、この濾過用フィルムにより、収納袋内の気体のみを袋外に排出することができ、袋内に収納された固体である物品は気体通路を通らないものとできたものである。
【発明の開示】
【発明が解決しようとする課題】
【０００６】
ここで、上記のような圧縮袋や収納袋などの袋に逆止弁を組み込むに当たっては、外装シートと弁体シートとを組み合わせて個々の逆止弁をあらかじめ形成しておき、この逆止弁を、袋本体の材料である、柔軟性を有する樹脂製シートに貼り合わせることによりなされる。この貼り合わせは、ヒートシールによりなされる。
【０００７】
ところが、このヒートシールは、上記のようにあらかじめ形成された逆止弁を横断するようにしてなされるため、そのままでは逆止弁の外装シートと弁体シートとがヒートシールの熱を受けて溶融することによりくっついてしまい、気体通路が塞がれてしまう。従来は、逆止弁の外装シートにおける、弁体シートと対向する側の表面に塗料を塗布することで、このようなシートの溶融を防止していた。
【０００８】
しかしながら、このようにシートの表面に塗料を塗布したものにあっても、ヒートシールの際における熱のかけ方などによっては、シートが溶融して気体通路が塞がれてしまい、通気不能な不良品となることがあった。また、作業者の熟練度合によっても、不良品が発生することがあった。例えば、袋を構成する樹脂製シートのシート厚が複数存在している場合において、シート厚に応じて加熱条件が異なり、その加熱条件に適しない加熱をしてしまった場合などである。
【０００９】
本願発明は上記の問題に鑑み、圧縮袋や収納袋などの袋に、逆止弁をヒートシールで取り付ける場合であっても、ヒートシールの熱の影響を受けて、気体通路が塞がれることのない逆止弁を提供することを課題とする。
【課題を解決するための手段】
【００１０】
上記課題を解決するために、本願の請求項１に記載の発明は、柔軟性を有する樹脂製シートからなる外装シート１と弁体シート２とを有し、対向する外装シート１ａ，１ｂに少なくとも２本のサイドシール３が形成されたことにより、サイドシール３間に、基端側から先端側へと気体を通過させることが可能な気体通路Ｐが設けられた逆止弁Ｖであり、対向する外装シート１ａ，１ｂに挟まれるようにして、少なくとも１枚の弁体シート２が設けられ、この弁体シート２は、固定部２ａと、固定部２ａの先端側に配位された可動部２ｂとを有し、上記の固定部２ａは、弁体シート２の一方側の面である取付面２１の一部である接着部２１ａが、一方側外装シート１ａに対して接着された部分であり、上記の可動部２ｂは、弁体シート２の他方側の面である通路側面２２の一部が、この通路側面２２と対向する他方側外装シート１ｂあるいは他方側外装シート１ｂに接着された弁体シート２’に対して接近及び離反が可能とされた部分であり、上記の通路側面２２と、通路側面２２に対向する他方側外装シート１ｂあるいは他方側外装シート１ｂに接着された弁体シート２’との間が気体通路Ｐとされたものであり、通路側面２２の先端側の一部である密着面２２ａが、通路側面２２と対向する上記の各シート１ｂ，２’に密着することにより気体通路Ｐが閉鎖されるものであって、上記の気体通路Ｐには間隔保持シート４が設けられたものであり、この間隔保持シート４は、弁体シート２の通路側面２２と、この通路側面２２と対向する他方側外装シート１ｂあるいは他方側外装シート１ｂに接着された弁体シート２’との間であって、上記の密着面２２ａよりも基端寄りに配位されたことを特徴とする逆止弁を提供する。
【００１１】
また、本願の請求項２に記載の発明は、内部を密閉可能とされた、柔軟性を有する樹脂製シート６ａ，６ｂからなる袋６に対し、ヒートシールにより取り付けられるものであり、上記の間隔保持シート４は、少なくとも、上記の袋６と逆止弁Ｖとを取り付けるためのヒートシール６１の熱を受ける部分Ｓに設けられたものであり、
上記の間隔保持シート４は、上記のヒートシール６１の熱によって溶融しないものであることを特徴とする、請求項１に記載の逆止弁を提供する。
【００１２】
また、本願の請求項３に記載の発明は、上記の間隔保持シート４の厚さが３０μｍ〜３００μｍであることを特徴とする、請求項１または２に記載の逆止弁を提供する。
【００１３】
また、本願の請求項４に記載の発明は、気体通路Ｐを通る気体の全てが通過するように、通気性シート７が気体通路Ｐに設けられたものであって、この通気性シート７は、気体の通過を許容し、固体の通過を遮断することができるものであることを特徴とする、請求項１〜３のいずれかに記載の逆止弁を提供する。
【発明の効果】
【００１４】
本願の請求項１に記載の発明にあっては、気体通路Ｐに間隔保持シート４が設けられたことにより、圧縮袋や収納袋などの袋６に、逆止弁Ｖをヒートシール６１を施すことによって取り付けた場合であっても、間隔保持シート４の、気流の通過方向に沿う側の側辺（長辺）における端面よりも気体通路Ｐの外側方向においては、気流の通過方向に沿う方向である空間Ｐ３が常時確保される。このように、逆止弁Ｖにおいて最低限確保された空間Ｐ３を通じて気体の通過が可能であるため、ヒートシール６１を施す際の熱の影響を受けて、気体通路Ｐが塞がれることのない逆止弁Ｖを提供できたものである。
【００１５】
また、本願の請求項２に記載の発明にあっては、上記の効果に加え、間隔保持シート４がヒートシール６１の熱によって溶融しないものであるため、上記の、空間Ｐ３を通じた気体の通過とほぼ同時に、間隔保持シート４と弁体シート２とを容易に分離することができ、速やかに気体通路Ｐが開放される逆止弁Ｖを提供できたものである。
【００１６】
また、本願の請求項３に記載の発明にあっては、上記請求項１または２に記載の発明の効果に加え、間隔保持シート４の厚さが３０μｍ〜３００μｍであり、それに応じ、気体の通過が充分に可能な空間Ｐ３を確保することが可能な逆止弁Ｖを提供できたものである。
【００１７】
また、本願の請求項４に記載の発明にあっては、上記の各発明の効果に加え、気体の通過を許容し、固体の通過を遮断することができる通気性シート７が気体通路Ｐに設けられたことにより、コーヒー豆など、収納中に気体が発生する、比較的細かい物品に関して用いられる収納袋６に対して適する逆止弁Ｖを提供できたものである。
【発明を実施するための最良の形態】
【００１８】
以下、図面に基づき本願発明の実施の形態の一例を２種とりあげて説明する。図１は実施例１の逆止弁を示す図であり、図２は実施例１の逆止弁を圧縮袋に取り付けた状態を示す図である。図６は実施例２の逆止弁を示す図であり、図７は実施例２の逆止弁を圧縮袋に取り付けた状態を示す図である。
【実施例１】
【００１９】
実施例１に係る逆止弁Ｖは、図１に示すように、外装シート１と弁体シート２とを備えたものであって、図２に示すような、内部が密閉可能な圧縮袋６に取り付けられ、圧縮袋６に収納された内容物Ｍを減容することなどを目的に、袋内部に存在する空気を脱気するために使用される。
【００２０】
この逆止弁Ｖの外装シート１と弁体シート２とには、柔軟性を有するものであって、非通気性の樹脂製シートが用いられている。なお、ここで言う「非通気性」とは、シートの表面から裏面へと気体が透過することにより、逆止弁Ｖの気体通路Ｐ以外から気体が抜けてしまい、逆止作用が損なわれてしまうということのない程度に通気性のない状態を指す。以下の説明についても同様である。
また、この樹脂製シートは加熱接着性のものとされている。実施例１に係る逆止弁Ｖにおいては、鎖状低密度ポリエチレンフィルム（Ｌ−ＬＤＰＥ）が積層されたシートが用いられている。
【００２１】
この実施例１においては、外装シート１と弁体シート２として、平面視長方形のシートが用いられており、一方側外装シート１ａと他方側外装シート１ｂとは同形のものとされている。そして、２枚の対向する外装シート１ａ，１ｂに挟まれるようにして１枚の弁体シート２が重ね合わされる。この弁体シート２は、上記の外装シート１と同幅のものとされており、各シート１，２の両側辺（長辺）同士がヒートシールにより接着され、サイドシール３が形成されている。
一方、上記の両側辺（長辺）と直交する側の側辺（短辺）については、上記のような接着がなされていない。これにより、逆止弁Ｖの内部には、長手方向に気体を通すことのできる気体通路Ｐが形成される。そして、この気体通路Ｐの基端側が開口部Ｐ１、先端側が開口部Ｐ２となる。なお、ここで言う「基端側」とは通気時の気流Ｆ１を基準とした上流側のことであり、同「先端側」とは同下流側のことである。
なお、この実施例１においては弁体シート２を１枚だけ用いたものとしたが、図３（Ａ）に示すように、弁体シート２を２枚用いて対向させたものとしても良い。
また、上記の接着はヒートシールによるものに限られるものではなく、超音波や高周波によるシールによるものであっても良い。
【００２２】
次に、外装シート１と弁体シート２との関係について説明する。なお、下記における弁体シート２の動作の説明は、図２に示すように、逆止弁Ｖが圧縮袋６に取り付けられた状態におけるものである。
弁体シート２は、外装シート１の一部に取り付けられ固定された部分である固定部２ａと、固定部２ａの先端側に配位されたものであり、空気通路Ｐを閉鎖するために外装シート１に対して可動とされた部分である可動部２ｂとを有する。
図１（Ｂ）に示すように、弁体シート２において、一方側外装シート１ａの内面、つまり気体通路Ｐ側の面に対して対向する側の面（図示下面）が取付面２１とされる。一方側外装シート１ａに対する弁体シート２の取り付けは、この取付面２１のうち基端側の端部である接着部２１ａにおいてなされる。このように、弁体シート２において、接着部２１ａが一方側外装シート１ａに対して接着された部分が固定部２ａである。
一方、この弁体シート２は、上記の接着部２１ａ以外においては各外装シート１ａ，１ｂに取り付けられておらず、取付面２１とは反対側の面である通路側面２２（図示上面）の一部が、この通路側面２２と対向する他方側外装シート１ｂに対して接近及び離反が可能とされた可動部２ｂとされている。よって、通路側面２２のうち先端側の端部である密着面２２ａは、他方側外装シート１ｂに対して密着可能、かつ、接近及び離反が可能となっている。
【００２３】
つまり、弁体シート２の可動部２ｂは、各外装シート１ａ，１ｂ間において、図１（Ｂ）に実線で示した、他方側外装シート１ｂに密着した位置（閉鎖位置）から、図１（Ｂ）に破線で示した、一方側外装シート１ａに密着した位置（開放位置）までの矢印を付した範囲で移動が可能となっており、上記の開放位置においては、逆止弁Ｖの内部に気体通路Ｐが確保され、この気体通路Ｐを通じて、図２に示したように逆止弁Ｖが取り付けられた圧縮袋６の、内部から外部へ向かう気流Ｆ１が通過可能となっている。そして、この状態において圧縮袋６を外部から押さえるなどして加圧し、袋内を脱気することができる。
なお、一方側外装シート１ａと弁体シート２との間には、サイドシール３と弁体シート２の接着部２１ａとにより、袋小路状の空間が形成される。この空間がポケット部Ｐ３である。
【００２４】
上記の脱気後に袋内が減圧されて負圧となった場合、外気が、気流Ｆ２として開口部Ｐ２から流入し、気体通路Ｐを通過しようとするが、この時、上記のポケット部Ｐ３にも同時に外気が流入する。弁体シート２が柔軟な素材からなることにより、袋内の負圧及びこの流入した空気圧を弁体シート２が敏感に受け、図１（Ｂ）に実線で示したように、弁体シート２が変形して他方側外装シート１ｂの内面に密着し、気体通路Ｐを密閉するので、気流Ｆ２は気体通路Ｐを通過することができず、外気が袋内に逆流する恐れがない。これがすなわち、逆止弁Ｖの有する逆止作用である。
【００２５】
ここで、弁体シート２における取付面２１の、接着部２１ａ以外の部分に、一方側外装シート１ａに対して密着しにくくするための密着防止部５が設けられたものとしても良い。このように密着防止部５が設けられた場合、一方側弁体シート１ａに対して弁体シート２が離反しやすくなる。即ち、他方側外装シート１ｂに対する密着面２２ａの接近及び離反がスムーズになされ、上記の逆止作用が確実に働くものとできる。この密着防止部５としては、シリコン樹脂等の剥離性に富んだ樹脂の膜が例示できるが、これに限られず、弁体シート２に一体に積層された、剥離性に富んだ樹脂フィルムなど、種々の形態で実施し得る。また、弁体シート２の側ではなく、一方側外装シート１ａにこの密着防止部５が設けられたものであっても良い。
【００２６】
なお、図３（Ａ）に示すように弁体シート２を２枚用いた場合については、下側弁体シート２は一方側外装シート１ａに、上側弁体シート２’は他方側外装シート１ｂにそれぞれ取り付けられたものとされ、気体通路Ｐは各弁体シート２，２’の間となる。そして各弁体シート２，２’の密着面２２ａは、それぞれの相手側の各弁体シート２，２’に対して接近及び離反が可能となっており、相手側の各弁体シート２，２’における密着面２２ａが相手側の各弁体シート２’，２における密着面２２ａに密着することにより気体通路Ｐが閉鎖される。
【００２７】
ここで、上記の逆止弁Ｖが取り付けられた圧縮袋６について説明する。
実施例１における圧縮袋６は、図２に示すように、柔軟性を有し、非通気性の素材からなる樹脂製シートである袋シート６ａ，６ｂから構成されたものである。実施例１においては、平面視長方形のシートが用いられている。そして、対向する袋シート６ａ，６ｂの、開口部６２以外の辺について、袋シート６ａ，６ｂ同士がヒートシール６１が施されたことにより閉鎖されている。開口部６２には凸条と凹条とを組み合わせたものなどからなる、チャックなどの閉鎖部材６２ａを有するものであり、これにより、閉鎖部材６２ａを閉鎖すると、袋内と外部との間での気体の流通を遮断することができ、内部を密閉することができる。
そして、実施例１においては、図２に示すように、逆止弁Ｖが圧縮袋６の底部に取り付けられる。この取り付けは、袋シート６ａ，６ｂの間に逆止弁Ｖが挟まれた状態で上記のヒートシール６１が施されることによりなされる。よって、圧縮袋６の内部の空気は、開口部６２及び逆止弁Ｖの気体通路Ｐを通じてのみ、外部へ通過可能となっている。
【００２８】
上記のようにして形成された圧縮袋６の使用に際して、まず、この圧縮袋６の内部に衣類等の収納物Ｍを収納する。その後、チャック６２ａにより開口部６２を閉鎖する。この状態ではまだ、圧縮袋６の内部には空気が入ったままの状態である。そして次に、圧縮袋６を外部から押さえるなどして、逆止弁Ｖの気体通路Ｐを通じて圧縮袋６の内部に存在する空気を外部に排出する。
逆止弁Ｖは、図１（Ｂ）に示したように、弁体シート２が他方側外装シート１ｂに対して接近・離反可能であることにより、気体通路Ｐを通じて圧縮袋６の内部から外部へ向かう気流Ｆ１が通過可能であると共に、逆方向の気流Ｆ２が通過不可となっているため、圧縮袋６の内部の空気が効率的に排出され、排出後は逆流が阻止される。よって、圧縮袋６の内部の脱気状態を確実に保つことができる。
【００２９】
ここで、圧縮袋６に逆止弁Ｖを組み込むに当たっては、上記に示したように、袋シート６ａ，６ｂの間に逆止弁Ｖを配位した上でヒートシール６１が施される。従来の逆止弁Ｖにあっては、このヒートシール６１が施される際の熱により、他方側外装シート１ｂあるいは弁体シート２が溶融してしまい、気体通路Ｐが塞がれてしまうという問題点があった。
【００３０】
上記の問題点に対し、本願発明に係る逆止弁Ｖにおいては、気体通路Ｐに間隔保持シート４が設けられたことで解決をはかっている。
実施例１の逆止弁Ｖにおいては、図１（Ｂ）に示すように、他方側外装シート１ｂと弁体シート２との間に挟まれるようにして間隔保持シート４が設けられている。具体的には、上記のヒートシール６１が施される部分Ｓと重なり合う部分であって、かつ、弁体シート２の密着面２２ａと他方側外装シート１ｂとが密着することによる、気体通路Ｐの閉鎖を阻害することのない位置、詳しくは、他方側外装シート１ｂ上であり、かつ、弁体シート２の可動部２ｂにおける通路側面２２のうちで、密着面２２ａよりも基端寄りの面である、基端側面２２ｂに対向する位置に配位されている。
本例において設けられた間隔保持シート４の長手寸法は、図１（Ｂ）に示すように、弁体シート２の基端側面２２ｂ部分の長手寸法よりも小さく形成されているが、間隔保持シート４の基端側面２２ｂに対する位置関係はこれに限られるものではなく、上記の気体通路Ｐの閉鎖を阻害することのない位置に配位されるという条件が満たされれば、例えば、弁体シート２よりも更に基端側にはみ出るような長手寸法を有するものであっても良く、種々に変更して実施できる。
【００３１】
逆止弁Ｖの他の例として、図３（Ａ）に示したように弁体シート２を２枚用いたものにおいては、間隔保持シート４が、対向して設けられた弁体シート２間に設けられる。また、図３（Ｂ）に示したように、弁体シート２が気体通路Ｐに沿う方向に２枚直列に配位されたものにおいては、気体通路Ｐのうち、上記のように圧縮袋６に逆止弁Ｖを組み込む際における、ヒートシール６１が施される部分Ｓに一致する部分に設けられる。
【００３２】
本例における間隔保持シート４は、平面視長方形である短冊状のものが１枚用いられたものであって、図１（Ａ）に示すように、気体通路Ｐの短手方向における略中央に配位されたものである。
この間隔保持シート４は、ヒートシール６１を施す際の熱によって溶融しないシートを用いることが望ましい。間隔保持シート４の材質としては、紙やポリエステルフィルムからなるシートが例示できるが、他の材質であっても良い。また、本例では、この間隔保持シート４として、非通気性のシートが用いられたものであるが、これに限られず、不織布などの通気性のシートが用いられたものであっても良い。
この間隔保持シート４の厚さは、３０μｍ〜３００μｍとすることが望ましい。本例においては厚さ１００μｍのシートが用いられている。なお、従来において、ヒートシール６１を施す際の熱によってシートが溶融することを避けるために、塗料を塗布したものが存在したが、この場合の塗膜の厚さは２μｍ〜３μｍであって、後述するように、他方側外装シート１ｂと弁体シート２との間に間隔を保持し、気体通路Ｐにおける気流Ｆ１の通過をスムーズにする作用は全く有しないものであった。
【００３３】
上記のようにして、気体通路Ｐに間隔保持シート４が設けられたことにより、外装シート１（他方側外装シート１ｂ）と弁体シート２とが直接密着することがなく、間隔保持シート４が挟まれたものとされる。
ここで、間隔保持シート４の存在している部分と存在していない部分との間において、間隔保持シート４の厚み分の段差が形成されることとなる。この段差を挟むようにして他方側外装シート１ｂと弁体シート２とが配位されるが、各シート１ｂ，２の有する剛性により、この段差に完全に沿うようにはならないため、気体通路Ｐが閉鎖された際においても、図４（Ａ）に示すように、底辺が間隔保持シート４の厚み寸法に一致する略三角形状の空間Ｐ３が形成される。つまり、間隔保持シート４の、気流の通過方向に沿う側の側辺（長辺）における端面よりも気体通路Ｐの外側方向においては、他方側外装シート１ｂと弁体シート２とが密着した場合であっても、各シート１ｂ，２の間に、気流の通過方向に沿う方向である空間Ｐ３が常時確保される。これは仮に、間隔保持シート４がヒートシール６１を施す際の熱によって溶融し、他方側外装シート１ｂとくっついてしまった場合であっても確保されるものである。
【００３４】
上記のような空間Ｐ３が確保されることにより、圧縮袋６の内部に存在する空気が外部に排出される際には、圧縮袋６の内部から外部へ向かう気流Ｆ１がまず空間Ｐ３を通過する。そして、この気流Ｆ１によって、弁体シート２の密着面２２ａと他方側外装シート１ｂとが押し広げられて分離する。そして、これとほぼ同時に、弁体シート２の基端側面２２ｂと他方側外装シート１ｂとが押し広げられて分離する。なおこの際、上記のように、間隔保持シート４が、ヒートシール６１を施す際の熱によっても溶融しないものとされているため、間隔保持シート４と弁体シート２とは容易に分離でき、速やかに気体通路Ｐが開放される。
もちろん、この間隔保持シート４の存在により、密着面２２ａの他方側外装シート１ｂに対する密着が阻害されるものではないから、逆止弁Ｖの逆止作用が損なわれることはない。
このように、本願発明は、確実な逆止作用を有しつつ、上記のように気体通路Ｐの開放が容易である、従来にない優れた逆止弁Ｖを提供できたものである。
【００３５】
本例における間隔保持シート４は、図１（Ａ）に示したように、気体通路Ｐの短手方向における略中央に配位されたものであるが、これに限られず、気体通路Ｐの短手方向における両端に２枚の間隔保持シート４が配位されたものであっても良いし（図４（Ｂ）参照）、気体通路Ｐの１つ当たりに３枚以上の間隔保持シート４が配位されたものであっても良い。なおこのように、気体通路Ｐの短手方向における端側に間隔保持シート４が配位された場合においては、間隔保持シート４の一部がサイドシール３と重なるものであっても良い。
また、間隔保持シート４の表面にエンボス加工などにより凹溝を形成しておき、この凹溝が上記の空間Ｐ３の作用を果たすものとしても良い（図４（Ｃ）参照）。その他、間隔保持シート４の表面にエンボス加工などにより凹凸を設けておき、この凹凸と弁体シート２との間を空間Ｐ３の作用を果たすものとしても良く、種々に変更して実施し得る。
【００３６】
実施例１における、間隔保持シート４を組み込んだ逆止弁Ｖを形成する際には、まず、図５に示すように、長尺状の外装シート１（１ａ，１ｂ）及び弁体シート２、そして間隔保持シート４が重ね合わされた状態とされてサイドシール３が形成され、逆止弁Ｖが短辺方向に連続した形態のものが形成される。
ここで、他方側外装シート１ｂ上に、長手方向が気流の通過方向と一致する、短冊状の間隔保持シート４がまず接着される。なお、この接着は、間隔保持シート４の全面に対してなされるものでなくても良く、一部のみが接着され、他の部分は他方側外装シート１ｂに対して移動可能なものであっても良い。
この短冊状の間隔保持シート４は、連続して設けられる個々の逆止弁Ｖの間隔と同間隔に、他方側外装シート１ｂ上に配位されて貼り付けられる。このように、間隔保持シート４が貼り付けられた他方側外装シート１ｂの上に、弁体シート２、そしてその更に上に一方側外装シート１ａが重ね合わされる（図５参照）。なお、この他方側外装シート１ｂ上への間隔保持シート４の貼り付け作業については、公知のラベル貼り付け装置（ラベラー）によって自動化が可能である。
このようにして重ね合わされた各シートが、サイドシール３の形成により接着された後、このサイドシール３の部分で切断され、図１（Ａ）に示したような、個々の逆止弁Ｖが完成する。なお、サイドシール３の部分で個々に切断をすることなく、複数の逆止弁Ｖが並列したままの状態の連続弁として使用することも可能である。
【実施例２】
【００３７】
次に、コーヒー豆（粉砕されたものを含む）など、収納中に気体が発生する、比較的細かい物品に関して用いられる収納袋６に組み込まれることを目的とする逆止弁Ｖについて説明する。なお、以下において、上記の実施例１におけるものと同一の機能を有する要素には、原則、図面に同一の符号を付し、説明を省略している。
【００３８】
この実施例２における逆止弁Ｖは、図６に示すものであり、外装シート１、弁体シート２、間隔保持シート４、通気性シート７から構成されている。
【００３９】
この逆止弁Ｖは、図６（Ｂ）に示すように、一方側外装シート１ａの下面に、弁体シート２を、それぞれの図示左側の辺が合致した状態で重ね合わされると共に、上記の各シート１ａ，２の図示左側の辺が通気性シート７の図示右側の辺に重ね合わされ、この重ね合わされた部分が中間シール３ａの形成によって接着されている。そして、この状態の通気性シート７の下面が、他方側外装シート１ｂと、それぞれの図示左側の辺が合致した状態で重ね合わされ、この重ね合わされた部分が基端側シール３ｂの形成によって接着されている。そして、これらの重ね合わされた各シート１ａ，１ｂ，２，７が一体となるように、上記実施例１と同様、両側辺（長辺）同士がサイドシール３の形成により接着されている。
【００４０】
つまり、この実施例２の逆止弁Ｖは、図６（Ｂ）における図示下側がすべて他方側外装シート１ｂで構成される。そして、図示上側のうち、図示左略半分は通気性シート７、図示右略半分は一方側外装シート１ａと弁体シート２とが重ね合わされた構造とされている。
よって、この実施例２の逆止弁Ｖは、図示右端に開口部Ｐ２を備えるが、他方側の開口部Ｐ１は、図示左上方における、通気性シート７からなる濾過面によって覆われたものとされている。気体通路Ｐは、この濾過面から、他方側外装シート１ｂと弁体シート２との間を通るようにして形成されている。また、一方側外装シート１ａと弁体シート２との間には、実施例１と同様、ポケット部Ｐ３が形成されている。
【００４１】
そして、この実施例２における逆止弁Ｖについても、気体通路Ｐに間隔保持シート４が設けられている。この間隔保持シート４は、実施例１におけるものと同様に、他方側外装シート１ｂと弁体シート２との間に挟まれたものであって、気体通路Ｐを確保するものである。
【００４２】
上記のように構成された逆止弁Ｖは、例えば、図７に示すように、コーヒー豆用の収納袋６に取り付けられ、二酸化炭素など、収納されたコーヒー豆から発生する気体を袋外に排出し、コーヒー豆を長期保存できるようにするための弁として用いられる。
この逆止弁Ｖを収納袋６に取り付けるに当たっては、逆止弁Ｖの開口部Ｐ２を袋外に突出させた状態とし、図８に示すように、通気性シート７が存在しない位置まで逆止弁Ｖを収納袋６内に挿入し、ヒートシールすることによりなされる。これにより、収納袋６の内外は逆止弁Ｖの気体通路Ｐのみで連通するものとなる。
【００４３】
次に、この実施例２に係る逆止弁Ｖの動作について説明する。
例えば、逆止弁Ｖが取り付けられ、収納袋６内に収納されたコーヒー豆からは二酸化炭素などの気体が発生する。この気体が収納袋６の内部に充満し、袋内の圧力が高まった場合、収納袋６内の気体は、自然に通気性シート７からなる濾過面を経て気体通路Ｐに導かれ、開口部Ｐ２から外部に放出される（図８（Ａ）参照）。この際、収納されたコーヒー豆は濾過面により阻止されるために袋外に放出されたり、気体通路Ｐに詰まることはない。なお、収納袋６を外部から押さえるなどして加圧したり、あるいは吸引ノズル（図示しない）を逆止弁Ｖの開口部Ｐ２から気体通路Ｐ内に挿入して吸引することによって、袋内の気体を強制的に放出させても良い。
なお、この実施例２において、通気性シート７は、図６（Ｂ）に示すように、逆止弁Ｖの一方側（図示上側）の面の一部を構成するものとしているが、この形態に限られるものではなく、気体通路Ｐを通る気体の全てが通過するようにして、気体通路Ｐに設けられたものであれば良い。
【００４４】
また、収納袋６内の気体が放出されて袋内が減圧状態になるか、あるいは袋外の気圧が高まると、外気が、気流Ｆ２として開口部Ｐ２から流入し、気体通路Ｐを通過しようとするが、この時、ポケット部Ｐ３にも同時に外気が流入する。弁体シート２が柔軟な素材からなることにより、この流入した空気圧を弁体シート２が敏感に受け、図８（Ｂ）に示したように、弁体シート２が変形して他方側外装シート１ｂの内面に密着し、気体通路Ｐを密閉するので、気流Ｆ２は気体通路Ｐを通過することができず、外気が袋内に逆流する恐れがない。
【００４５】
そして上記に加え、間隔保持シート４が、収納袋６とヒートシールが施される部分Ｓと重なり合う部分に配位されている。これにより、収納袋６に逆止弁Ｖをヒートシールにより取り付ける際にも、ヒートシールの熱によって、逆止弁Ｖが通気不能になることがない。
【００４６】
本願発明に係る逆止弁Ｖは、上記の実施例１や実施例２として説明した形態に限られるものではなく、種々の形態での実施が可能である。
例えば、外装シート１の枚数について、実施例１では、図１に示したように２枚のシートから構成するものとしたが、１枚のシートを折り曲げたものとしても良いし、又、片側が２枚以上のシートを重ねられたものからなるものとしても良い。
また、実施例１では、逆止弁Ｖの平面視の形状を、長手方向が気流Ｆ１の方向に沿う長方形状のものととしたが、これに限定されず、横長の長方形や正方形、台形等、種々の形態で実施が可能である。
また、弁体シート２についても、図１（Ｂ）に示した、弁体シート２が１枚のみ取り付けられたものや、図３（Ａ）に示した、対向する２枚の弁体シート２が１組取り付けられたもののように、気体通路Ｐの閉鎖が各シート１，２の１箇所の密着により行われるものに限られず、例えば図３（Ｂ）に示すように、弁体シート２を直列に２枚並べて配位し、気体通路Ｐの閉鎖が各シート１，２の２箇所以上の密着により行われるものとしても良い。
【００４７】
また、上記で説明した実施例１や実施例２では、あらかじめ形成した逆止弁Ｖを、後に圧縮袋などの収納袋６に組み込むことを前提としたものであったが、これに限られず、逆止弁Ｖを構成する外装シート１と、収納袋６を構成する袋シート６ａ，６ｂとが同一のシートとして形成されたものであっても良い。つまり、袋シート６ａ，６ｂの端部などに、直接弁体シート２と間隔保持シート４とを取り付けた構成をとっても良い。
また、この逆止弁Ｖは、上記に説明した圧縮袋６とは逆に、袋内に気体を充填して使用する袋に対しても適用が可能である。この場合であっても、逆止弁Ｖが有効に流体通路Ｐを閉止するため、気体を充填した状態を確実に維持することができる。
【図面の簡単な説明】
【００４８】
【図１】（Ａ）は実施例１に係る逆止弁の斜視図であり、（Ｂ）は（Ａ）のＡ−Ａ矢視の端面図である。
【図２】実施例１に係る逆止弁を圧縮袋に取り付けた状態を示す平面図である。
【図３】（Ａ）は本願発明の他の実施例に係る逆止弁を示す端面図であり、（Ｂ）は本願発明の更に他の実施例に係る逆止弁を示す端面図である。
【図４】（Ａ）は図１（Ａ）のＢ−Ｂ端面視の説明図であり、（Ｂ）及び（Ｃ）は、間隔保持シートの他の実施例を示す、図１（Ａ）のＢ−Ｂ端面に相当する端面視の説明図である。
【図５】逆止弁の形成のために、各シートを重ね合わせる状態を示す、斜視の説明図である。
【図６】（Ａ）は実施例２に係る逆止弁の平面図であり、（Ｂ）は（Ａ）のＣ−Ｃ矢視の端面図である。
【図７】実施例２に係る逆止弁を収納袋に取り付けた状態を示す斜視図である。
【図８】実施例２に係る逆止弁の動作を示す端面視の参考図であり、（Ａ）が脱気時の状態を示し、（Ｂ）が逆止作用がなされている状態を示す。
【符号の説明】
【００４９】
１          外装シート
１ａ        一方側外装シート
１ｂ        他方側外装シート
２，２’    弁体シート
２ａ        固定部
２ｂ        可動部
２１        取付面（弁体シート）
２１ａ      接着部（弁体シート）
２２        通路側面（弁体シート）
２２ａ      密着面（弁体シート）
３          サイドシール
４          間隔保持シート
６          圧縮袋、収納袋
６ａ，６ｂ  袋シート
６１        ヒートシール
７          通気性シート
Ｐ          気体通路
Ｖ          逆止弁
【図１】
2006207743.tif 000003
【図２】
2006207743.tif 000004
【図３】
2006207743.tif 000005
【図４】
2006207743.tif 000006
【図５】
2006207743.tif 000007
【図６】
2006207743.tif 000008
【図７】
2006207743.tif 000009
【図８】
2006207743.tif 000010